(57)【要約】【課題】リモコンを用いて中央制御装置である情報機器に警戒／解除切替ボタンで設定変更を行った時、設定信号が情報機器まで正確に届いたかどうかがわかりにくいという問題がある。【解決手段】情報機器１を警戒モードに設定するためにリモコン操作器の警戒／解除設定ボタン１６を押すと、この設定情報がリモコン操作器１１から送信され、情報機器１はそれらの情報を取得する。それと同時に、リモコン操作器１の動作表示ＬＥＤ灯１５は点滅を行う。一方、この設定情報を取得することによって情報機器１では、設定を解除モードから警戒モードにすることができる。その後、この設定が完了したことを情報機器１から送信され、リモコン操作器１１はそれらの情報を取得する。正確に受信することができれば、リモコン操作器１１の動作表示ＬＥＤ灯１５は点滅から点灯へと変わる。【選択図】　図１
2004094847.tif 000002
【特許請求の範囲】
【請求項１】
家庭内の１つまたは複数の端末機器と通信手段を介して接続することができる情報機器で、前記端末機器の一部がセンサから構成されており、前記センサから異常信号を検知した時に前記情報機器から警報を出力する警戒モードと、前記センサから異常信号を受けても警報を出力させない警戒解除モードとに切替設定できる警戒／解除設定機能を有した情報機器で、前記警戒／解除設定をリモコン操作器を用いて行うことができる情報機器において、前記センサから異常信号を受信した時に警報を出力するための警戒設定ボタンと、前記センサから異常信号を受信しても警報を出力させない警戒解除ボタンとを設け、前記リモコン操作器側には、警戒／解除設定ボタンと、前記警戒／解除設定ボタンを押した時に点滅・点灯を行う動作表示ＬＥＤ灯とを設けていることを特徴とする情報機器。
【請求項２】
家庭内の１つまたは複数の端末機器と通信手段を介して接続することができる情報機器で、前記端末機器の一部がセンサから構成されており、前記センサから異常信号を検知した時に前記情報機器から警報を出力する警戒モードと、前記センサから異常信号を受けても警報を出力させない警戒解除モードとに切替設定できる警戒／解除設定機能を有した情報機器で、前記警戒／解除設定をリモコン操作器を用いて行うことができる情報機器において、前記センサから異常信号を受信した時に警報を出力するための警戒設定ボタンと、前記センサから異常信号を受信しても警報を出力させない警戒解除ボタンとを設け、前記リモコン操作器側には、警戒／解除設定ボタンと、前記警戒／解除設定ボタンを押した時に表示を行う動作表示液晶パネルとを設けていることを特徴とする情報機器。
【請求項３】
家庭内の１つまたは複数の端末機器と通信手段を介して接続することができる情報機器で、前記端末機器の一部がセンサから構成されており、前記センサから異常信号を検知した時に前記情報機器から警報を出力する警戒モードと、前記センサから異常信号を受けても警報を出力させない警戒解除モードとに切替設定できる警戒／解除設定機能を有した情報機器で、前記警戒／解除設定をリモコン操作器を用いて行うことができる情報機器において、前記センサから異常信号を受信した時に警報を出力するための警戒設定ボタンと、前記センサから異常信号を受信しても警報を出力させない警戒解除ボタンとを設け、前記リモコン操作器側には、警戒／解除設定ボタンと、前記警戒／解除設定ボタンを押した時に振動を行う機能とを設けていることを特徴とする情報機器。
【請求項４】
家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示ＬＥＤ手段とから構成されており、前記リモコン操作器の警戒／解除設定手段の動作によって、前記情報機器の警戒モード／警戒解除モードが設定できた時には、前記リモコン操作器の動作表示ＬＥＤ手段が点滅から点灯にかわることを特徴とする情報システム。
【請求項５】
家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示ＬＥＤ手段とから構成されており、前記リモコン操作器の警戒／解除設定手段の動作によって、前記情報機器の警戒モード／警戒解除モードが設定できなかった時には、前記リモコン操作器の動作表示ＬＥＤ手段が点滅しつづけることを特徴とする情報システム。
【請求項６】
家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示ＬＥＤ手段とから構成されており、前記リモコン操作器の警戒／解除設定手段の動作によって、前記情報機器の警戒モード／警戒解除モードが設定できなかった時には、前記リモコン操作器の動作表示ＬＥＤ手段が点滅しつづけ、次第に点滅する時間間隔が長くなることを特徴とする情報システム。
【請求項７】
家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示液晶パネルとから構成されており、前記リモコン操作器の警戒／解除設定手段の動作によって、前記情報機器の警戒モード／警戒解除モードが設定できなかった時には、前記リモコン操作器の動作表示液晶パネルに異常表示を行うことを特徴とする情報システム。
【請求項８】
家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作をあらわすための振動手段とから構成されており、前記リモコン操作器の警戒／解除設定手段の動作によって、前記情報機器の警戒モード／警戒解除モードが設定できた時には、前記リモコン操作器の振動手段が振動から静止にかわり、前記情報機器の警戒モード／警戒解除モードが設定できなかった時には、前記リモコン操作器の振動手段が振動のままであることを特徴とする情報システム。
【請求項９】
家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の動作表示ＬＥＤ手段が点滅するステップと、前記リモコン操作器からの情報を前記情報機器が受信できた時には、前記情報機器から前記リモコン操作器へ情報を送信するステップと、前記情報機器からの情報を前記リモコン操作器が受信できた時には、前記リモコン操作器の動作表示ＬＥＤ手段が点滅から点灯にかわるステップとからなることを特徴とする情報システムの制御方法。
【請求項１０】
家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の動作表示ＬＥＤ手段が点滅するステップと、前記リモコン操作器からの情報を前記情報機器が受信できた時には、前記情報機器から前記リモコン操作器へ情報を送信するステップと、前記情報機器からの情報を前記リモコン操作器が受信できなかった時には、前記リモコン操作器の動作表示ＬＥＤ手段が点滅しつづけるステップとからなることを特徴とする情報システムの制御方法。
【請求項１１】
家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の動作表示ＬＥＤ手段が点滅するステップと、前記リモコン操作器からの情報を前記情報機器が受信できた時には、前記情報機器から前記リモコン操作器へ情報を送信するステップと、前記情報機器からの情報を前記リモコン操作器が受信できなかった時には、前記リモコン操作器の動作表示ＬＥＤ手段が点滅しつづけ、次第に点滅する時間間隔が長くなるステップとからなることを特徴とする情報システムの制御方法。
【請求項１２】
家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信するステップと、前記リモコン操作器からの情報を前記情報機器が受信できた時には、前記情報機器から前記リモコン操作器へ情報を送信するステップと、前記情報機器からの情報を前記リモコン操作器が受信できなかった時には、前記リモコン操作器の動作表示液晶パネルに異常表示を行うステップとからなることを特徴とする情報システムの制御方法。
【請求項１３】
家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の振動手段が振動するステップと、前記リモコン操作器からの情報を前記情報機器が受信できた時には、前記情報機器から前記リモコン操作器へ情報を送信するステップと、前記情報機器からの情報を前記リモコン操作器が受信できた時には、前記リモコン操作器の振動手段が振動から静止にかわるステップとからなることを特徴とする情報システムの制御方法。
【請求項１４】
請求項１〜８のいずれかに記載の情報機器、情報システムの少なくとも一つの手段をコンピュータに実行させるためのプログラム。
【発明の詳細な説明】
【０００１】
【発明の属する技術分野】
本発明は、リモコン操作器による情報機器の制御において、情報機器への正常な制御ができたことをリモコン操作器側で判断することができる、情報機器、情報システムおよびその制御方法、プログラムに関するものである。
【０００２】
【従来の技術】
近年、家屋侵入による窃盗犯罪の増加に伴い、住居における監視システムの需要が増加している。従来この種の監視システムは、侵入者検知用の複数のセンサ端末機器とその情報を収集し警報を発する中央処理装置との組み合わせであった。また最近では、警備モードを記憶し警報内容を表示する情報装置も開発され始めている（例えば、特許文献１参照）。さらに、センサ端末機器から異常信号を検知したときに警報を出力する警戒モードを主に外出時に中央処理装置に設定し、それ以外の時間帯では、防犯センサから異常信号を受けても警報を出力しない警戒解除モードに切替設定される。この設定の切替えを外部からリモコン操作で行えるリモコン警戒／解除設定機能を備えた監視システムもある（例えば、特許文献２参照）。
【０００３】
【特許文献１】
特開平５−６４９０号公報
【特許文献２】
特開平７−２９６２８３号公報
【０００４】
【発明が解決しようとする課題】
しかしながら前記従来の構成では、リモコンを用いて中央処理装置に警戒／解除切替設定を行った時、中央処理装置で正確に設定切替が行われたかどうかがわかりにくいという課題がある。また、リモコンを用いて中央制御装置である情報機器に警戒／解除切替ボタンで設定変更を行った時、設定信号が情報機器まで正確に届いたかどうかがわかりにくいという問題がある。
【０００５】
本発明は、上記従来の課題を解決するためのもので、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側において知ることができる情報機器、情報システムおよびその制御方法、プログラムを提供することを目的とするものである。
【０００６】
【課題を解決するための手段】
前記従来の課題を解決するために、本発明の情報機器は、家庭内の１つまたは複数の端末機器と通信手段を介して接続することができる情報機器で、前記端末機器の一部がセンサから構成されており、前記センサから異常信号を検知した時に前記情報機器から警報を出力する警戒モードと、前記センサから異常信号を受けても警報を出力させない警戒解除モードとに切替設定できる警戒／解除設定機能を有した情報機器で、前記警戒／解除設定をリモコン操作器を用いて行うことができる情報機器において、前記センサから異常信号を受信した時に警報を出力するための警戒設定ボタンと、前記センサから異常信号を受信しても警報を出力させない警戒解除ボタンとを設け、前記リモコン操作器側には、警戒／解除設定ボタンと、前記警戒／解除設定ボタンを押した時に作動するＬＥＤ灯、または液晶パネル、振動手段とを設けていることを特徴とする情報機器を提供するものである。
【０００７】
以上のような構成とすることにより、本発明によれば、リモコンを用いて中央制御装置である情報機器に警戒／解除切替ボタンで設定変更を行った時、設定信号が情報機器まで正確に届いたかどうか、情報機器で正確に設定切替が行われたかどうかをリモコン操作器側において容易に知ることができるものである。すなわち、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側のＬＥＤ灯や液晶パネル、振動手段の動作において容易に認識することができるものである。
【０００８】
【発明の実施の形態】
請求項１記載の発明は、家庭内の１つまたは複数の端末機器と通信手段を介して接続することができる情報機器で、前記端末機器の一部がセンサから構成されており、前記センサから異常信号を検知した時に前記情報機器から警報を出力する警戒モードと、前記センサから異常信号を受けても警報を出力させない警戒解除モードとに切替設定できる警戒／解除設定機能を有した情報機器で、前記警戒／解除設定をリモコン操作器を用いて行うことができる情報機器において、前記センサから異常信号を受信した時に警報を出力するための警戒設定ボタンと、前記センサから異常信号を受信しても警報を出力させない警戒解除ボタンとを設け、前記リモコン操作器側には、警戒／解除設定ボタンと、前記警戒／解除設定ボタンを押した時に点滅・点灯を行う動作表示ＬＥＤ灯とを設けていることを特徴とする情報機器を提供するものである。
【０００９】
以上によって、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示ＬＥＤ灯の点滅・点灯の動作において容易に認識することができるものである。
【００１０】
請求項２記載の発明は、家庭内の１つまたは複数の端末機器と通信手段を介して接続することができる情報機器で、前記端末機器の一部がセンサから構成されており、前記センサから異常信号を検知した時に前記情報機器から警報を出力する警戒モードと、前記センサから異常信号を受けても警報を出力させない警戒解除モードとに切替設定できる警戒／解除設定機能を有した情報機器で、前記警戒／解除設定をリモコン操作器を用いて行うことができる情報機器において、前記センサから異常信号を受信した時に警報を出力するための警戒設定ボタンと、前記センサから異常信号を受信しても警報を出力させない警戒解除ボタンとを設け、前記リモコン操作器側には、警戒／解除設定ボタンと、前記警戒／解除設定ボタンを押した時に表示を行う動作表示液晶パネルとを設けていることを特徴とする情報機器を提供するものである。
【００１１】
以上によって、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示液晶パネルの表示において容易に認識することができるものである。
【００１２】
請求項３記載の発明は、家庭内の１つまたは複数の端末機器と通信手段を介して接続することができる情報機器で、前記端末機器の一部がセンサから構成されており、前記センサから異常信号を検知した時に前記情報機器から警報を出力する警戒モードと、前記センサから異常信号を受けても警報を出力させない警戒解除モードとに切替設定できる警戒／解除設定機能を有した情報機器で、前記警戒／解除設定をリモコン操作器を用いて行うことができる情報機器において、前記センサから異常信号を受信した時に警報を出力するための警戒設定ボタンと、前記センサから異常信号を受信しても警報を出力させない警戒解除ボタンとを設け、前記リモコン操作器側には、警戒／解除設定ボタンと、前記警戒／解除設定ボタンを押した時に振動を行う機能とを設けていることを特徴とする情報機器を提供するものである。
【００１３】
以上によって、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の振動手段の動作において容易に認識することができるものである。
【００１４】
請求項４記載の発明は、家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示ＬＥＤ手段とから構成されており、前記リモコン操作器の警戒／解除設定手段の動作によって、前記情報機器の警戒モード／警戒解除モードが設定できた時には、前記リモコン操作器の動作表示ＬＥＤ手段が点滅から点灯にかわることを特徴とする情報システムを提供するものである。
【００１５】
以上によって、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示ＬＥＤ灯の点滅・点灯の動作において容易に認識することができるものである。
【００１６】
請求項５記載の発明は、家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示ＬＥＤ手段とから構成されており、前記リモコン操作器の警戒／解除設定手段の動作によって、前記情報機器の警戒モード／警戒解除モードが設定できなかった時には、前記リモコン操作器の動作表示ＬＥＤ手段が点滅しつづけることを特徴とする情報システムを提供するものである。
【００１７】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができるものである。
【００１８】
請求項６記載の発明は、家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示ＬＥＤ手段とから構成されており、前記リモコン操作器の警戒／解除設定手段の動作によって、前記情報機器の警戒モード／警戒解除モードが設定できなかった時には、前記リモコン操作器の動作表示ＬＥＤ手段が点滅しつづけ、次第に点滅する時間間隔が長くなることを特徴とする情報システムを提供するものである。
【００１９】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができるものである。
【００２０】
請求項７記載の発明は、家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示液晶パネルとから構成されており、前記リモコン操作器の警戒／解除設定手段の動作によって、前記情報機器の警戒モード／警戒解除モードが設定できなかった時には、前記リモコン操作器の動作表示液晶パネルに異常表示を行うことを特徴とする情報システムを提供するものである。
【００２１】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示液晶パネルに異常表示を行うことによって容易に認識することができるものである。
【００２２】
請求項８記載の発明は、家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作をあらわすための振動手段とから構成されており、前記リモコン操作器の警戒／解除設定手段の動作によって、前記情報機器の警戒モード／警戒解除モードが設定できた時には、前記リモコン操作器の振動手段が振動から静止にかわり、前記情報機器の警戒モード／警戒解除モードが設定できなかった時には、前記リモコン操作器の振動手段が振動のままであることを特徴とする情報システムを提供するものである。
【００２３】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の振動手段の振動の動作において容易に認識することができるものである。
【００２４】
請求項９記載の発明は、家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の動作表示ＬＥＤ手段が点滅するステップと、前記リモコン操作器からの情報を前記情報機器が受信できた時には、前記情報機器から前記リモコン操作器へ情報を送信するステップと、前記情報機器からの情報を前記リモコン操作器が受信できた時には、前記リモコン操作器の動作表示ＬＥＤ手段が点滅から点灯にかわるステップとからなることを特徴とする情報システムの制御方法を提供するものである。
【００２５】
以上によって、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示ＬＥＤ灯の点滅・点灯の動作において容易に認識することができるものである。
【００２６】
請求項１０記載の発明は、家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の動作表示ＬＥＤ手段が点滅するステップと、前記リモコン操作器からの情報を前記情報機器が受信できた時には、前記情報機器から前記リモコン操作器へ情報を送信するステップと、前記情報機器からの情報を前記リモコン操作器が受信できなかった時には、前記リモコン操作器の動作表示ＬＥＤ手段が点滅しつづけるステップとからなることを特徴とする情報システムの制御方法を提供するものである。
【００２７】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができるものである。
【００２８】
請求項１１記載の発明は、家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の動作表示ＬＥＤ手段が点滅するステップと、前記リモコン操作器からの情報を前記情報機器が受信できた時には、前記情報機器から前記リモコン操作器へ情報を送信するステップと、前記情報機器からの情報を前記リモコン操作器が受信できなかった時には、前記リモコン操作器の動作表示ＬＥＤ手段が点滅しつづけ、次第に点滅する時間間隔が長くなるステップとからなることを特徴とする情報システムの制御方法を提供するものである。
【００２９】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができるものである。
【００３０】
請求項１２記載の発明は、家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信するステップと、前記リモコン操作器からの情報を前記情報機器が受信できた時には、前記情報機器から前記リモコン操作器へ情報を送信するステップと、前記情報機器からの情報を前記リモコン操作器が受信できなかった時には、前記リモコン操作器の動作表示液晶パネルに異常表示を行うステップとからなることを特徴とする情報システムの制御方法を提供するものである。
【００３１】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示液晶パネルに異常表示を行うことによって容易に認識することができるものである。
【００３２】
請求項１３記載の発明は、家庭内の１つまたは複数の端末機器からの情報を通信手段を介して収集することができる情報機器と、前記情報機器へ通信手段を介して情報を送信することができる端末機器と、前記情報機器の設定状態を制御することができるリモコン操作器とからなる情報システムにおいて、前記リモコン操作器の警戒／解除設定手段の動作によって、前記リモコン操作器から前記情報機器へ情報を送信した後、前記リモコン操作器の振動手段が振動するステップと、前記リモコン操作器からの情報を前記情報機器が受信できた時には、前記情報機器から前記リモコン操作器へ情報を送信するステップと、前記情報機器からの情報を前記リモコン操作器が受信できた時には、前記リモコン操作器の振動手段が振動から静止にかわるステップとからなることを特徴とする情報システムの制御方法を提供するものである。
【００３３】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の振動手段の振動の動作において容易に認識することができるものである。
【００３４】
請求項１４記載の発明は、請求項１〜８のいずれかに記載の情報機器、情報システムの少なくとも一つの手段をコンピュータに実行させるためのプログラムを提供するものである。
【００３５】
またプログラムであるので汎用コンピュータや携帯情報端末を用いて本発明の情報機器、情報システムの一部あるいは全てを容易に実現することができる。また記録媒体に記録したり通信回線を用いてプログラムを配信したりすることでプログラムの配布やインストール作業が簡単にできる。
【００３６】
以上のような構成とすることにより、本発明によれば、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示ＬＥＤ灯や液晶パネル、振動手段の動作において容易に認識することができるものである。
【００３７】
【実施例】
以下、本発明の実施例について、図面を参照しながら説明する。
【００３８】
（実施例１）
実施例１の情報機器について図面を参照しながら説明する。図１は本発明の実施例１における情報機器および端末機器の機能ブロック図を示すものである。以下に本実施例における構成を説明する。
【００３９】
図１に示す本実施例の情報機器１は、警戒ボタン２、解除ボタン３、送受信部４、情報処理部５、情報収集部６、情報送信部７とから構成されている。本情報機器１は、センサからなる各端末機器等と無線通信８によって接続されており、各機器からの情報収集を情報収集部６によって行う。これらの収集された情報等は情報処理部５によって処理し、送受信部４を用いて電話回線手段１０を経由して外部に送受信することができる。
【００４０】
この情報機器１は、家庭内の１つまたは複数の端末機器２１と通信手段を介して接続することができる情報機器で、一部の端末機器２１がセンサ検知部２６から構成されており、センサ検知部２６から異常信号を検知した時に情報機器１から警報を出力する警戒モードと、センサ検知部２６から異常信号を受けても警報を出力させない警戒解除モードとに切替設定できる警戒／解除設定機能、すなわち警戒設定ボタン２と警戒解除ボタン３を有している。また、本情報機器１はリモコン操作器１１とも通信手段を介して接続することができるものであり、本リモコン操作器１１は情報機器１の警戒／解除設定をリモコン操作器１１を用いて行うために警戒／解除設定ボタン１６と、この警戒／解除設定ボタン１６を押した時に点滅・点灯を行う動作表示ＬＥＤ灯１５とを設けている。
【００４１】
また、端末機器２１のセンサ検知部２６としては焦電型赤外線センサやビームセンサのような人体検知可能なセンサがあげられる。この端末機器２１は、センサ検知部２６、情報処理部２２、情報受信部２４、情報送信部２３とから構成されている。また、リモコン操作器１１は、警戒／解除設定ボタン１６、情報処理部１２、情報受信部１４、情報送信部１３、動作表示ＬＥＤ灯１５とから構成される。
【００４２】
今、人体検知センサ２６の動作を情報機器１で検知しようとすると、情報機器１を警戒モードに設定する必要がある。その設定をリモコン操作器１１の警戒／解除設定ボタン１６を押すことによって設定することができる。リモコン操作器１１の警戒／解除設定ボタン１６を押すと、この設定情報がリモコン操作器１１の情報送信部１３から送信され、情報機器１は情報収集部６によってそれらの情報を取得する。その情報を取得することによって情報機器１では、設定を解除モードから警戒モードにすることができる。その後、この設定が完了したことを、情報機器１の情報送信部７から送信され、リモコン操作器１１は情報受信部１４によってそれらの情報を取得することができる。この時、これらの情報のやり取りによって、リモコン操作器１１の動作表示ＬＥＤ灯１５は点滅・点灯を行う。
【００４３】
なお、人体検知センサは通過検知センサや開閉センサ、圧力センサのようなものでもよい。
【００４４】
また、本実施例では通信媒体として無線を用いているが、専用線による有線通信、電灯線搬送通信、赤外線通信、光ファイバ通信など、いずれも通信媒体を用いても同様の効果を有するものである。
【００４５】
以上のような構成とすることにより、本発明によれば、センサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示ＬＥＤ灯の点滅・点灯の動作において容易に認識することができる。
【００４６】
尚、本実施例では端末機器・リモコンの個数は各１台であったが、台数は特に限定するものではなく、情報機器において端末機器・リモコンが認識できる限りにおいては、それぞれ台数は何台でも構わない。
【００４７】
（実施例２）
実施例２の情報機器について図面を参照しながら説明する。図２は本発明の実施例２における情報機器および端末機器の機能ブロック図を示すものである。以下に本実施例における構成を説明する。
【００４８】
図２に示す本実施例の情報機器１は、警戒ボタン２、解除ボタン３、送受信部４、情報処理部５、情報収集部６、情報送信部７とから構成されている。本情報機器１は、センサからなる各端末機器等と無線通信８によって接続されており、各機器からの情報収集を情報収集部６によって行う。これらの収集された情報等は情報処理部５によって処理し、送受信部４を用いて電話回線手段１０を経由して外部に送受信することができる。
【００４９】
この情報機器１は、家庭内の１つまたは複数の端末機器２１と通信手段を介して接続することができる情報機器で、一部の端末機器２１がセンサ検知部２６から構成されており、センサ検知部２６から異常信号を検知した時に情報機器１から警報を出力する警戒モードと、センサ検知部２６から異常信号を受けても警報を出力させない警戒解除モードとに切替設定できる警戒／解除設定機能、すなわち警戒設定ボタン２と警戒解除ボタン３を有している。また、本情報機器１はリモコン操作器１１とも通信手段を介して接続することができるものであり、本リモコン操作器１１は情報機器１の警戒／解除設定をリモコン操作器１１を用いて行うために警戒／解除設定ボタン１６と、この警戒／解除設定ボタン１６を押した時に表示を行う動作表示液晶パネル１７とを設けている。
【００５０】
また、端末機器２１のセンサ検知部２６としては焦電型赤外線センサやビームセンサのような人体検知可能なセンサがあげられる。この端末機器２１は、センサ検知部２６、情報処理部２２、情報受信部２４、情報送信部２３とから構成されている。また、リモコン操作器１１は、警戒／解除設定ボタン１６、情報処理部１２、情報受信部１４、情報送信部１３、動作表示液晶パネル１７とから構成される。
【００５１】
今、人体検知センサ２６の動作を情報機器１で検知しようとすると、情報機器１を警戒モードに設定する必要がある。その設定をリモコン操作器１１の警戒／解除設定ボタン１６を押すことによって設定することができる。リモコン操作器１１の警戒／解除設定ボタン１６を押すと、この設定情報がリモコン操作器１１の情報送信部１３から送信され、情報機器１は情報収集部６によってそれらの情報を取得する。その情報を取得することによって情報機器１では、設定を解除モードから警戒モードにすることができる。その後、この設定が完了したことを、情報機器１の情報送信部７から送信され、リモコン操作器１１は情報受信部１４によってそれらの情報を取得することができる。この時、これらの情報のやり取りによって、リモコン操作器１１の動作表示液晶パネル１７に表示を行う。
【００５２】
なお、人体検知センサは通過検知センサや開閉センサ、圧力センサのようなものでもよい。
【００５３】
また、本実施例では通信媒体として無線を用いているが、専用線による有線通信、電灯線搬送通信、赤外線通信、光ファイバ通信など、いずれも通信媒体を用いても同様の効果を有するものである。
【００５４】
以上のような構成とすることにより、本発明によれば、センサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示液晶パネルの表示によって容易に認識することができる。
【００５５】
尚、本実施例では端末機器・リモコンの個数は各１台であったが、台数は特に限定するものではなく、情報機器において端末機器・リモコンが認識できる限りにおいては、それぞれ台数は何台でも構わない。
【００５６】
（実施例３）
実施例３の情報機器について図面を参照しながら説明する。図３は本発明の実施例３における情報機器および端末機器の機能ブロック図を示すものである。以下に本実施例における構成を説明する。
【００５７】
図３に示す本実施例の情報機器１は、警戒ボタン２、解除ボタン３、送受信部４、情報処理部５、情報収集部６、情報送信部７とから構成されている。本情報機器１は、センサからなる各端末機器等と無線通信８によって接続されており、各機器からの情報収集を情報収集部６によって行う。これらの収集された情報等は情報処理部５によって処理し、送受信部４を用いて電話回線手段１０を経由して外部に送受信することができる。
【００５８】
この情報機器１は、家庭内の１つまたは複数の端末機器２１と通信手段を介して接続することができる情報機器で、一部の端末機器２１がセンサ検知部２６から構成されており、センサ検知部２６から異常信号を検知した時に情報機器１から警報を出力する警戒モードと、センサ検知部２６から異常信号を受けても警報を出力させない警戒解除モードとに切替設定できる警戒／解除設定機能、すなわち警戒設定ボタン２と警戒解除ボタン３を有している。また、本情報機器１はリモコン操作器１１とも通信手段を介して接続することができるものであり、本リモコン操作器１１は情報機器１の警戒／解除設定をリモコン操作器１１を用いて行うために警戒／解除設定ボタン１６と、この警戒／解除設定ボタン１６を押した時に振動を行う振動部１８とを設けている。
【００５９】
また、端末機器２１のセンサ検知部２６としては焦電型赤外線センサやビームセンサのような人体検知可能なセンサがあげられる。この端末機器２１は、センサ検知部２６、情報処理部２２、情報受信部２４、情報送信部２３とから構成されている。また、リモコン操作器１１は、警戒／解除設定ボタン１６、情報処理部１２、情報受信部１４、情報送信部１３、振動部１８とから構成される。
【００６０】
今、人体検知センサ２６の動作を情報機器１で検知しようとすると、情報機器１を警戒モードに設定する必要がある。その設定をリモコン操作器１１の警戒／解除設定ボタン１６を押すことによって設定することができる。リモコン操作器１１の警戒／解除設定ボタン１６を押すと、この設定情報がリモコン操作器１１の情報送信部１３から送信され、情報機器１は情報収集部６によってそれらの情報を取得する。その情報を取得することによって情報機器１では、設定を解除モードから警戒モードにすることができる。その後、この設定が完了したことを、情報機器１の情報送信部７から送信され、リモコン操作器１１は情報受信部１４によってそれらの情報を取得することができる。この時、これらの情報のやり取りによって、リモコン操作器１１の振動部１８は振動・静止を行う。
【００６１】
なお、人体検知センサは通過検知センサや開閉センサ、圧力センサのようなものでもよい。
【００６２】
また、本実施例では通信媒体として無線を用いているが、専用線による有線通信、電灯線搬送通信、赤外線通信、光ファイバ通信など、いずれも通信媒体を用いても同様の効果を有するものである。
【００６３】
以上のような構成とすることにより、本発明によれば、センサ端末機器と接続されている中央制御装置である情報機器において、リモコン操作により警戒／解除設定の切替えを、正常に警戒／解除設定されたかどうか、戸締りに異常がないかどうかをリモコン操作器側の振動部の振動・静止の動作において容易に認識することができる。
【００６４】
尚、本実施例では端末機器・リモコンの個数は各１台であったが、台数は特に限定するものではなく、情報機器において端末機器・リモコンが認識できる限りにおいては、それぞれ台数は何台でも構わない。
【００６５】
（実施例４）
実施例４の情報システムについて図面を参照しながら説明する。図４は本発明の実施例４における情報機器および端末機器の概略模式図を示すものである。また、機器内部は図１に示すものである。以下に本実施例における構成を説明する。
【００６６】
家庭内の１つまたは複数の端末機器からの情報を通信手段を介して情報機器へ収集することができる情報収集手段と、この端末機器から情報収集手段へ情報を送信するための情報送信手段と、この端末機器の一部がセンサから構成されており、このセンサから異常信号を検知した時に情報機器１から警報を出力するための警戒モード設定手段としての警戒ボタン３２と、このセンサから異常信号を受けても警報を出力させないための警戒解除モード設定手段としての解除ボタン３３と、リモコン操作器１１を用いて情報機器１の警戒／解除設定を行うことができる警戒／解除設定手段としての警戒／解除ボタン３５と、警戒／解除設定手段としての警戒／解除ボタン３５の動作を表示させるための動作表示ＬＥＤ手段としてのＬＥＤ灯３６とから構成されており、このリモコン操作器１１の警戒／解除設定手段としての警戒／解除ボタン３５の動作によって、情報機器１の警戒モード／警戒解除モードが設定できた時には、リモコン操作器１１の動作表示ＬＥＤ手段としてのＬＥＤ灯３６が点滅から点灯にかわる。
【００６７】
また、図７は本発明の実施例４のシステム全体を概略的に示す構成説明図を示すものである。以下に本実施例における構成を説明する。
【００６８】
図７に示す本実施例のシステムは、洗濯機５５やエアコン５６等の家電製品と各家庭１００の玄関出入口に設置された人体検知センサ５７、開閉センサ５８等のセキュリティ機器、情報機器の設定状態を制御するためのリモコン１１を接続した情報機器１と、情報機器１を外部と接続するための回線接続手段５３、外部のネットワークである宅外回線網５２、情報センターサーバ装置５０とから成る。
【００６９】
端末機器であるセンサとしては焦電型赤外線センサやビームセンサのような人体検知可能なセンサ５７があげられる。まず、センサからなる端末機器の情報を情報機器で検知しようとすると、情報機器を警戒モードにする必要がある。その警戒モード設定をリモコンで行うことによって、情報機器の設定を警戒モードにすることができる。この設定状態の情報は宅外回線網５２を用いて、センターサーバ装置５０に送信される。
【００７０】
なお、人体検知センサは通過検知センサや開閉センサ、圧力センサ、音声センサのようなものでもよい。
【００７１】
なお、本実施例は電話機や公衆回線で説明したがこれに限るものでなく、パソコンや携帯情報端末などの通信装置であってもよいし、専用回線やインターネット回線であってもよい。
【００７２】
以上のような構成とすることにより、本発明によれば、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示ＬＥＤ灯の点滅・点灯の動作において容易に認識することができる。
【００７３】
（実施例５）
実施例５の情報システムについて説明する。情報機器および端末機器の概略模式図は図４に示し、また、機器内部は図１に示すものと同様である。以下に本実施例における構成を説明する。
【００７４】
家庭内の１つまたは複数の端末機器からの情報を通信手段を介して情報機器へ収集することができる情報収集手段と、この端末機器から情報収集手段へ情報を送信するための情報送信手段と、この端末機器の一部がセンサから構成されており、このセンサから異常信号を検知した時に情報機器１から警報を出力するための警戒モード設定手段としての警戒ボタン３２と、このセンサから異常信号を受けても警報を出力させないための警戒解除モード設定手段としての解除ボタン３３と、リモコン操作器１１を用いて情報機器１の警戒／解除設定を行うことができる警戒／解除設定手段としての警戒／解除ボタン３５と、警戒／解除設定手段としての警戒／解除ボタン３５の動作を表示させるための動作表示ＬＥＤ手段としてのＬＥＤ灯３６とから構成されている。
【００７５】
センサの検知状態を情報機器１で検知しようとすると、情報機器１を警戒モードに設定する必要がある。その設定をリモコン操作器１１の警戒／解除設定ボタン１６を押すことによって設定することができる。リモコン操作器１１の警戒／解除設定ボタン１６を押すと、この設定情報がリモコン操作器１１の情報送信部１３から送信され、情報機器１は情報収集部６によってそれらの情報を取得する。それと同時に、リモコン操作器１１の動作表示ＬＥＤ灯１５は点滅を行う。
【００７６】
一方、この設定情報を取得することによって情報機器１では、設定を解除モードから警戒モードにすることができる。その後、この設定が完了したことを、情報機器１の情報送信部７から送信され、リモコン操作器１１は情報受信部１４によってそれらの情報を取得することができれば、リモコン操作器１１の動作表示ＬＥＤ灯１５は点滅から点灯へと変わるが、リモコン操作器１１で取得できなければ、リモコン操作器１１の動作表示ＬＥＤ灯１５は点滅し続ける。
【００７７】
以上のような構成とすることにより、本発明によれば、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができる。
【００７８】
（実施例６）
実施例６の情報システムについて説明する。情報機器および端末機器の概略模式図は図４に示し、また、機器内部は図１に示すものと同様である。以下に本実施例における構成を説明する。
【００７９】
家庭内の１つまたは複数の端末機器からの情報を通信手段を介して情報機器へ収集することができる情報収集手段と、この端末機器から情報収集手段へ情報を送信するための情報送信手段と、この端末機器の一部がセンサから構成されており、このセンサから異常信号を検知した時に情報機器１から警報を出力するための警戒モード設定手段としての警戒ボタン３２と、このセンサから異常信号を受けても警報を出力させないための警戒解除モード設定手段としての解除ボタン３３と、リモコン操作器１１を用いて情報機器１の警戒／解除設定を行うことができる警戒／解除設定手段としての警戒／解除ボタン３５と、警戒／解除設定手段としての警戒／解除ボタン３５の動作を表示させるための動作表示ＬＥＤ手段としてのＬＥＤ灯３６とから構成されている。
【００８０】
センサの検知状態を情報機器１で検知しようとすると、情報機器１を警戒モードに設定する必要がある。その設定をリモコン操作器１１の警戒／解除設定ボタン１６を押すことによって設定することができる。リモコン操作器１１の警戒／解除設定ボタン１６を押すと、この設定情報がリモコン操作器１１の情報送信部１３から送信され、情報機器１は情報収集部６によってそれらの情報を取得する。それと同時に、リモコン操作器１１の動作表示ＬＥＤ灯１５は点滅を行う。
【００８１】
一方、この設定情報を取得することによって情報機器１では、設定を解除モードから警戒モードにすることができる。その後、この設定が完了したことを、情報機器１の情報送信部７から送信され、リモコン操作器１１は情報受信部１４によってそれらの情報を取得することができれば、リモコン操作器１１の動作表示ＬＥＤ灯１５は点滅から点灯へと変わるが、リモコン操作器１１で取得できなければ、リモコン操作器１１の動作表示ＬＥＤ灯１５は点滅しその点滅する時間間隔は次第に長くなる。
【００８２】
以上のような構成とすることにより、本発明によれば、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができる。
【００８３】
（実施例７）
実施例７の情報システムについて図面を参照しながら説明する。図５は本発明の実施例７における情報機器および端末機器の概略模式図を示すものである。また、機器内部は図２に示すものである。以下に本実施例における構成を説明する。
【００８４】
家庭内の１つまたは複数の端末機器からの情報を通信手段を介して情報機器へ収集することができる情報収集手段と、この端末機器から情報収集手段へ情報を送信するための情報送信手段と、この端末機器の一部がセンサから構成されており、このセンサから異常信号を検知した時に情報機器１から警報を出力するための警戒モード設定手段としての警戒ボタン３２と、このセンサから異常信号を受けても警報を出力させないための警戒解除モード設定手段としての解除ボタン３３と、リモコン操作器１１を用いて情報機器１の警戒／解除設定を行うことができる警戒／解除設定手段としての警戒／解除ボタン３５と、警戒／解除設定手段としての警戒／解除ボタン３５の動作を表示させるための動作表示液晶パネル３７とから構成されている。
【００８５】
センサの検知状態を情報機器１で検知しようとすると、情報機器１を警戒モードに設定する必要がある。その設定をリモコン操作器１１の警戒／解除設定ボタン１６を押すことによって設定することができる。リモコン操作器１１の警戒／解除設定ボタン１６を押すと、この設定情報がリモコン操作器１１の情報送信部１３から送信され、情報機器１は情報収集部６によってそれらの情報を取得する。それと同時に、リモコン操作器１１の動作表示液晶パネル１７に表示を行う。
【００８６】
一方、この設定情報を取得することによって情報機器１では、設定を解除モードから警戒モードにすることができる。その後、この設定が完了したことを、情報機器１の情報送信部７から送信され、リモコン操作器１１は情報受信部１４によってそれらの情報を取得することができれば、リモコン操作器１１の動作表示液晶パネル１７の表示は消えるが、リモコン操作器１１がある一定期間以内で取得できなければ、リモコン操作器１１の動作表示液晶パネル１７には異常表示を行う。
【００８７】
また、センサの異常で情報機器が警戒モードに設定できなかった場合は、その異常内容をリモコン操作器１１に送信し、動作表示液晶パネル１７にその異常内容を表示させることができる。
【００８８】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示液晶パネルに異常表示を行うことによって容易に認識することができる。
【００８９】
（実施例８）
実施例８の情報システムについて図面を参照しながら説明する。図６は本発明の実施例８における情報機器および端末機器の概略模式図を示すものである。また、機器内部は図３に示すものである。以下に本実施例における構成を説明する。
【００９０】
家庭内の１つまたは複数の端末機器からの情報を通信手段を介して情報機器へ収集することができる情報収集手段と、この端末機器から情報収集手段へ情報を送信するための情報送信手段と、この端末機器の一部がセンサから構成されており、このセンサから異常信号を検知した時に情報機器１から警報を出力するための警戒モード設定手段としての警戒ボタン３２と、このセンサから異常信号を受けても警報を出力させないための警戒解除モード設定手段としての解除ボタン３３と、リモコン操作器１１を用いて情報機器１の警戒／解除設定を行うことができる警戒／解除設定手段としての警戒／解除ボタン３５と、警戒／解除設定手段としての警戒／解除ボタン３５の動作を認識させるためにリモコン操作器１１の内部に振動部が構成されている。
【００９１】
センサの検知状態を情報機器１で検知しようとすると、情報機器１を警戒モードに設定する必要がある。その設定をリモコン操作器１１の警戒／解除設定ボタン１６を押すことによって設定することができる。リモコン操作器１１の警戒／解除設定ボタン１６を押すと、この設定情報がリモコン操作器１１の情報送信部１３から送信され、情報機器１は情報収集部６によってそれらの情報を取得する。それと同時に、リモコン操作器１１の内部の振動部が振動を始める。
【００９２】
一方、この設定情報を取得することによって情報機器１では、設定を解除モードから警戒モードにすることができる。その後、この設定が完了したことを、情報機器１の情報送信部７から送信され、リモコン操作器１１は情報受信部１４によってそれらの情報を取得することができれば、リモコン操作器１１の内部の振動部の振動は止まるが、リモコン操作器１１がある一定期間以内で取得できなければ、リモコン操作器１１の内部の振動部は振動を続けて行う。
【００９３】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の振動手段の振動の動作において容易に認識することができる。
【００９４】
（実施例９）
ちゃ　次に、実施例９の制御方法について図面を参照しながら説明する。図８は本発明の実施例９における制御方法の処理手順を示すフローチャートを示すものである。以下に本実施例における構成フローを説明する。
【００９５】
まず、端末機器としては洗濯機やエアコン等の家電製品や各家の玄関出入口や窓に設置された人体検知センサ、扉の開閉センサ、画像センサ等のセキュリティ機器等があげられる。これらの端末機器が動作を開始する（ステップＳ１）。これらセンサの検知状態を情報機器で検知しようとすると、情報機器を警戒モードに設定する必要がある。その設定をするためにリモコン操作器の警戒／解除設定ボタンを押す（ステップＳ２）。リモコン操作器の警戒／解除設定ボタンを押すと、この設定情報がリモコン操作器の情報送信部から送信され（ステップＳ３）、情報機器は情報収集部によってそれらの情報を取得する（ステップＳ５）。それと同時に、リモコン操作器の動作表示ＬＥＤ灯は点滅を行う（ステップＳ４）。
【００９６】
一方、この設定情報を取得することによって情報機器では、設定を解除モードから警戒モードにすることができる。その後、この設定が完了したことを、情報機器の情報送信部から送信され（ステップＳ６）、リモコン操作器は情報受信部によってそれらの情報を取得する（ステップＳ７）。その後、リモコン操作器の動作表示ＬＥＤ灯は点滅から点灯へと変わる（ステップＳ８）。
【００９７】
以上によって、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側の動作表示ＬＥＤ灯の点滅・点灯の動作において容易に認識することができる。
【００９８】
（実施例１０）
次に、実施例１０の制御方法について図面を参照しながら説明する。図９は本発明の実施例１０における制御方法の処理手順を示すフローチャートを示すものである。以下に本実施例における構成フローを説明する。
【００９９】
まず、端末機器としては洗濯機やエアコン等の家電製品や各家の玄関出入口や窓に設置された人体検知センサ、扉の開閉センサ、画像センサ等のセキュリティ機器等があげられる。これらの端末機器が動作を開始する（ステップＳ１１）。これらセンサの検知状態を情報機器で検知しようとすると、情報機器を警戒モードに設定する必要がある。その設定をするためにリモコン操作器の警戒／解除設定ボタンを押す（ステップＳ１２）。リモコン操作器の警戒／解除設定ボタンを押すと、この設定情報がリモコン操作器の情報送信部から送信され（ステップＳ１３）、情報機器は情報収集部によってそれらの情報を取得する（ステップＳ１５）。それと同時に、リモコン操作器の動作表示ＬＥＤ灯は点滅を行う（ステップＳ１４）。
【０１００】
一方、この設定情報を取得することによって情報機器では、設定を解除モードから警戒モードにすることができる。その後、この設定が完了したことを、情報機器の情報送信部から送信され（ステップＳ１６）、リモコン操作器は情報受信部によってそれらの情報を取得する（ステップＳ１７）。正確に受信することができれば、リモコン操作器の動作表示ＬＥＤ灯は点滅から点灯へと変わる（ステップＳ１８）。リモコン操作器である一定期間以内に正確に取得できなければ、リモコン操作器の動作表示ＬＥＤ灯は点滅し続ける（ステップＳ１４）。
【０１０１】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができるものである。
【０１０２】
（実施例１１）
次に、実施例１１の制御方法について図面を参照しながら説明する。図１０は本発明の実施例１１における制御方法の処理手順を示すフローチャートを示すものである。以下に本実施例における構成フローを説明する。
【０１０３】
まず、端末機器としては洗濯機やエアコン等の家電製品や各家の玄関出入口や窓に設置された人体検知センサ、扉の開閉センサ、画像センサ等のセキュリティ機器等があげられる。これらの端末機器が動作を開始する。これらセンサの検知状態を情報機器で検知しようとすると、情報機器を警戒モードに設定する必要がある。その設定をするためにリモコン操作器の警戒／解除設定ボタンを押す（ステップＳ２１）。リモコン操作器の警戒／解除設定ボタンを押すと、この設定情報がリモコン操作器の情報送信部から送信され、情報機器は情報収集部によってそれらの情報を取得する（ステップＳ２２）。それと同時に、リモコン操作器の動作表示ＬＥＤ灯は点滅を行う（ステップＳ２３）。
【０１０４】
一方、この設定情報を取得することによって情報機器では、設定を解除モードから警戒モードにすることができる。その後、この設定が完了したことを、情報機器の情報送信部から送信されるが（ステップＳ２４）、リモコン操作器の情報受信部によってそれらの情報をある一定期間以内に正確に取得することができない（ステップＳ２４）と、リモコン操作器の動作表示ＬＥＤ灯は点滅し続け、その点滅する時間間隔が次第に長くなっていく（ステップＳ２５）。
【０１０５】
なお、本実施例では、情報機器は情報収集部によってリモコン操作器の警戒／解除設定ボタンが押された情報を取得しているが、取得できていなくても良い。その場合でも、リモコン操作器の情報受信部は、情報機器からの情報はある一定期間以内に正確に取得することができないので、リモコン操作器の動作表示ＬＥＤ灯は点滅し続け、その点滅する時間間隔が次第に長くなっていくこととなる。
【０１０６】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示ＬＥＤ灯の点滅の動作において容易に認識することができるものである。
【０１０７】
（実施例１２）
次に、実施例１２の制御方法について図面を参照しながら説明する。図１１は本発明の実施例１２における制御方法の処理手順を示すフローチャートを示すものである。以下に本実施例における構成フローを説明する。
【０１０８】
まず、端末機器としては洗濯機やエアコン等の家電製品や各家の玄関出入口や窓に設置された人体検知センサ、扉の開閉センサ、画像センサ等のセキュリティ機器等があげられる。これらの端末機器が動作を開始する（ステップＳ３１）。これらセンサの検知状態を情報機器で検知しようとすると、情報機器を警戒モードに設定する必要がある。その設定をするためにリモコン操作器の警戒／解除設定ボタンを押す（ステップＳ３２）。リモコン操作器の警戒／解除設定ボタンを押すと、この設定情報がリモコン操作器の情報送信部から送信され（ステップＳ３３）、情報機器は情報収集部によってそれらの情報を取得する（ステップＳ３４）。この時、リモコン操作器の動作表示液晶パネルに表示が出ても良い。
【０１０９】
一方、この設定情報を取得することによって情報機器では、設定を解除モードから警戒モードにすることができる。その後、この設定が完了したことを、情報機器の情報送信部から送信され（ステップＳ３５）、リモコン操作器は情報受信部によってそれらの情報を取得するが、リモコン操作器である一定期間以内に正確に取得できなければ（ステップＳ３６）、リモコン操作器の動作表示液晶パネルに異常表示を行う（ステップＳ３７）。
【０１１０】
なお、本実施例では、情報機器は情報収集部によってリモコン操作器の警戒／解除設定ボタンが押された情報を取得しているが、取得できていなくても良い。その場合でも、リモコン操作器の情報受信部は、情報機器からの情報はある一定期間以内に正確に取得することができないので、リモコン操作器の動作表示液晶パネルに異常表示を行うこととなる。
【０１１１】
また、センサの異常で情報機器が警戒モードに設定できなかった場合でも、その異常内容をリモコン操作器に送信し、動作表示液晶パネルにその異常内容を表示させることができる。
【０１１２】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の動作表示液晶パネルに異常表示を行うことによって容易に認識することができるものである。
【０１１３】
（実施例１３）
次に、実施例１３の制御方法について図面を参照しながら説明する。図１２は本発明の実施例１３における制御方法の処理手順を示すフローチャートを示すものである。以下に本実施例における構成フローを説明する。
【０１１４】
まず、端末機器としては洗濯機やエアコン等の家電製品や各家の玄関出入口や窓に設置された人体検知センサ、扉の開閉センサ、画像センサ等のセキュリティ機器等があげられる。これらの端末機器が動作を開始する（ステップＳ４１）。これらセンサの検知状態を情報機器で検知しようとすると、情報機器を警戒モードに設定する必要がある。その設定をするためにリモコン操作器の警戒／解除設定ボタンを押す（ステップＳ４２）。リモコン操作器の警戒／解除設定ボタンを押すと、この設定情報がリモコン操作器の情報送信部から送信され（ステップＳ４３）、情報機器は情報収集部によってそれらの情報を取得する（ステップＳ４５）。それと同時に、リモコン操作器の振動部が振動を行う（ステップＳ４４）。
【０１１５】
一方、この設定情報を取得することによって情報機器では、設定を解除モードから警戒モードにすることができる。その後、この設定が完了したことを、情報機器の情報送信部から送信され（ステップＳ４６）、リモコン操作器は情報受信部によってそれらの情報を取得する（ステップＳ４７）。正確に受信することができれば、リモコン操作器の振動部の振動は停止する（ステップＳ４８）。しかし、リモコン操作器でその情報をある一定期間以内に正確に取得できなければ、リモコン操作器の振動部は振動し続ける（ステップＳ４４）。
【０１１６】
以上によって、複数のセンサ端末機器と接続されている中央制御装置である情報機器において、リモコン操作により警戒／解除設定の切替えが、正常に警戒／解除設定できなかったり、戸締りに異常が発生したことをリモコン操作器側の振動手段の振動の動作において容易に認識することができるものである。
【０１１７】
また、これらの情報システム、およびその制御方法を情報機器で行うためには、情報機器内のＣＰＵコンピュータに実行させるためのプログラムを記録したことを特徴とするコンピュータ読み取り可能な独自のプログラムが必要である。
【０１１８】
【発明の効果】
以上のように、本発明の情報機器、情報システムおよびその制御方法によれば、家庭内の１つまたは複数の端末機器からの情報を通信手段を介して情報機器へ収集することができる情報収集手段と、前記端末機器から前記情報収集手段へ情報を送信するための情報送信手段と、前記端末機器の一部がセンサから構成されており、前記センサから異常信号を検知した時に前記情報機器から警報を出力するための警戒モード設定手段と、前記センサから異常信号を受けても警報を出力させないための警戒解除モード設定手段と、リモコン操作器を用いて前記情報機器の警戒／解除設定を行うことができる警戒／解除設定手段と、前記警戒／解除設定手段の動作を表示させるための動作表示ＬＥＤ手段とから構成されており、前記リモコン操作器の警戒／解除設定手段の動作によって、前記情報機器の警戒モード／警戒解除モードが設定できた時には、前記リモコン操作器の動作表示ＬＥＤ手段が点滅から点灯にかわり、設定できなかった時には、動作表示ＬＥＤ手段が点滅のままであることによって、設定信号が情報機器まで正確に届いたかどうか、情報機器で正確に設定切替が行われたかどうかをリモコン操作器側において容易に知ることができるものである。
【０１１９】
以上のような構成とすることにより、本発明によれば、リモコンを用いて中央制御装置である情報機器に警戒／解除切替ボタンで設定変更を行った時、設定信号が情報機器まで正確に届いたかどうか、情報機器で正確に設定切替が行われたかどうかをリモコン操作器側において容易に知ることができるものである。すなわち、複数のセンサ端末機器と接続されている中央制御装置である情報機器において、リモコン操作により警戒／解除設定の切替えを、正常に警戒／解除設定されたかどうか、戸締りに異常がないかどうかをリモコン操作器側のＬＥＤ灯や液晶パネル、振動手段の動作において容易に認識することができるという効果を有するものである。
【０１２０】
従って、本発明の情報機器、情報システムおよびその制御方法、プログラムを用いることによって、容易に、高精度に、信頼性の高い、低コストな監視システムが可能となり、ＨＩＩ（ＨＯＭＥ　ＩＮＦＯＲＭＡＴＩＯＮ　ＩＮＦＲＡＳＴＲＵＣＴＵＲＥ）事業の拡大に大きく寄与することができる。
【図面の簡単な説明】
【図１】本発明の実施例１における情報機器および端末機器の機能ブロック図
【図２】本発明の実施例２における情報機器および端末機器の機能ブロック図
【図３】本発明の実施例３における情報機器および端末機器の機能ブロック図
【図４】本発明の実施例４における情報機器および端末機器の概略模式図
【図５】本発明の実施例７における情報機器および端末機器の概略模式図
【図６】本発明の実施例８における情報機器および端末機器の概略模式図
【図７】本発明の１実施例におけるシステム全体を概略的に示す構成説明図
【図８】本発明の実施例９におけるシステムの処理手順を示すフローチャート
【図９】本発明の実施例１０におけるシステムの処理手順を示すフローチャート
【図１０】本発明の実施例１１におけるシステムの処理手順を示すフローチャート
【図１１】本発明の実施例１２におけるシステムの処理手順を示すフローチャート
【図１２】本発明の実施例１３におけるシステムの処理手順を示すフローチャート
【符号の説明】
１　情報機器
２　警戒設定ボタン
３　解除設定ボタン
６　情報収集部（通信手段）
７　情報送信部（通信手段）
８　無線通信
１１　リモコン操作器
１３　情報送信部（通信手段）
１４　情報受信部（通信手段）
１５　ＬＥＤ灯（動作表示ＬＥＤ灯）
１６　警戒／解除設定ボタン
１７　液晶パネル（動作表示液晶パネル）
１８　振動部
２１　端末機器
２３　情報送信部（通信手段）
２４　情報受信部（通信手段）
２６　センサ検知部
【図１】
2004094847.tif 000003
【図２】
2004094847.tif 000004
【図３】
2004094847.tif 000005
【図４】
2004094847.tif 000006
【図５】
2004094847.tif 000007
【図６】
2004094847.tif 000008
【図７】
2004094847.tif 000009
【図８】
2004094847.tif 000010
【図９】
2004094847.tif 000011
【図１０】
2004094847.tif 000012
【図１１】
2004094847.tif 000013
【図１２】
2004094847.tif 000014